(57)【要約】【課題】箱庭療法に必要な砂箱と、箱庭模型等の全てのものを一体に、かつ任意の位置に移動させることができ、その任意の位置で箱庭作成を行なうことができる箱庭用作業台を提供する。【解決手段】本考案の箱庭用作業台１は、箱庭作成をするための砂箱８が配置された置台７を具える作業部４と、収納部６とを有したスタンド本体２を具えている。この収納部６は上下の棚板１１、１１と前面側の左右の引き出し１０、１０と、背面側の上下の引き出し１６、１６とから構成されている。そして、この収納部６には箱庭模型を収納することができる。これにより、箱庭療法に必要な砂箱８、箱庭模型等の全てのものを一体に、かつ任意の場所に移動させることができ、その任意の位置で砂箱８に箱庭模型を配置して、箱庭作成を行なうことができる。【選択図】  図５
0003115845.tif 000002
【実用新案登録請求の範囲】
【請求項１】
箱庭療法での箱庭作成を行なう際に使用される箱庭用作業台であって、該箱庭用作業台は、置台である作業部と、箱庭作成に使用するための箱庭模型が収納される収納部とを有するスタンド本体を具えており、
前記置台には砂箱が配置され、
前記収納部は少なくとも一段の棚と、前記スタンド本体の前面側および／または背面側に設けられる少なくとも一つの引き出しとからなり、
前記引き出しは引き出し可能かつ押込み可能となっていることを特徴とする箱庭用作業台。
【請求項２】
箱庭療法での箱庭作成を行なう際に使用される箱庭用作業台であって、該箱庭用作業台は、作業部と、箱庭作成に使用するための箱庭模型が収納される収納部とを有するスタンド本体を具えており、
前記作業部は置台と、該置台よりも下側で前記スタンド本体の外方に引き出し可能かつ前記収納部内に収納した箱庭模型を取り出して配置可能なスライド置台とからなり、
前記置台には砂箱が配置され、
前記収納部は少なくとも一段の棚と、前記スタンド本体の前面側および／または背面側に設けられる少なくとも一つの引き出しとからなり、
前記引き出しは引き出し可能かつ押込み可能となっていることを特徴とする箱庭用作業台。
【請求項３】
前記スタンド本体は下端部にキャスターを具えている請求項１および請求項２に記載の箱庭用作業台。
【考案の詳細な説明】
【技術分野】
【０００１】
本考案は、箱庭療法での箱庭作成に使用される作業台に関し、砂箱や箱庭模型の収納部を具えた箱庭用作業台に関する。
【背景技術】
【０００２】
箱庭療法では、砂箱内の砂で山や川等を作ったり、砂の上に人形や動物等の様々な種類の箱庭模型を自由に配置することで箱庭を作成する。そして、この作成された箱庭のレイアウトや、使用された箱庭模型によって作成者の心理状態や悩み等を分析することができる。これにより作成者に適したカウンセリングを行なうことができる。
【０００３】
一般に、箱庭療法での箱庭作成を行なう際には、砂箱や箱庭模型を室内の棚等の収納具から例えば、この収納具から離れた場所にある作業台に運搬した後、作業台の上にある砂箱に箱庭模型を配置して箱庭作成の作業を行なっていた。そして、箱庭作成後の片付けの際には、砂箱や箱庭模型を収納具に戻すとともに、作業台も所定の場所に置いて片付け作業を行なっていた。
【０００４】
上記で示した作業台は、種々のものが使用できる（例えば、特許文献１参照。）。
【特許文献１】特開２００３−３２５２３４号公報
【０００５】
しかしながら、上記のような従来の作業台には、砂箱や箱庭模型を収納するための収納部が設けられていなかったため、箱庭作成をする際には収納具に収納されている砂箱や箱庭模型を作業台の上に運搬した後、箱庭作成の作業場所に作業台を移動させなくてはならなかった。
【考案の開示】
【考案が解決しようとする課題】
【０００６】
本考案は、箱庭作成をするための砂箱を配置するための作業部を具えているとともに、箱庭模型を収納するための収納部を具えており、これにより、箱庭療法に必要な砂箱、箱庭模型等の全てのものを一体に、かつ任意の場所に移動させることができ、その任意の場所で箱庭作成の作業を行なうことができる箱庭用作業台を提供することを目的としている。
【課題を解決するための手段】
【０００７】
上記のような課題を解決するために、本考案の請求項１に係る箱庭用作業台は、箱庭療法での箱庭作成を行なう際に使用される箱庭用作業台であって、該箱庭用作業台は、置台である作業部と、箱庭作成に使用するための箱庭模型が収納される収納部とを有するスタンド本体を具えており、前記置台には砂箱が配置され、前記収納部は少なくとも一段の棚と、前記スタンド本体の前面側および／または背面側に設けられる少なくとも一つの引き出しとからなり、前記引き出しは引き出し可能かつ押込み可能となっている手段を採用している。
【０００８】
また、本考案の請求項２に係る箱庭用作業台は、箱庭療法での箱庭作成を行なう際に使用される箱庭用作業台であって、該箱庭用作業台は、作業部と、箱庭作成に使用するための箱庭模型が収納される収納部とを有するスタンド本体を具えており、前記作業部は置台と、該置台よりも下側で前記スタンド本体の外方に引き出し可能かつ前記収納部内に収納した箱庭模型を取り出して配置可能なスライド置台とからなり、前記置台には砂箱が配置され、前記収納部は少なくとも一段の棚と、前記スタンド本体の前面側および／または背面側に設けられる少なくとも一つの箱状の引き出しとからなり、前記引き出しは引き出し可能かつ押込み可能となっている手段を採用している。
【０００９】
さらに、本考案の請求項３に係る箱庭用作業台は、請求項１および請求項２に記載の箱庭用作業台であって、前記スタンド本体は下端部にキャスターを具えている手段を採用している。
【考案の効果】
【００１０】
本考案の箱庭用作業台は、上記のように箱庭作成をするための砂箱が配置される置台を具えた作業部と、箱庭模型を収納するための収納部とを具えている。これにより、箱庭療法に必要な砂箱、箱庭模型等全てのものを一体に、かつ任意の場所に移動させることができ、その任意の位置で箱庭作成を行なうことができる。
【考案を実施するための最良の形態】
【００１１】
以下、図面に示す本考案の実施の形態について説明する。
図１から図６には本考案である箱庭用作業台の第一の実施の形態が示されており、図１は正面図、図２は側面図、図３は図１のＡ−Ａ線に沿って見た断面図、図４は背面図、図５は斜視図、図６は図２のＢ−Ｂ線に沿って見た断面図である。
【００１２】
図１から図６に示すように、箱庭用作業台１は箱庭を作成するための砂箱８が配置された作業部４と、箱庭模型を収納するための収納部６とを有するスタンド本体２を具えている。このスタンド本体２は、底板２７と、側面板２８、２８と、背面板２９と、仕切り板３０と、作業部４と、収納部６とを組み合わせて形成されている。
【００１３】
底板２７は四角形状の平板であって、その上面の両端部には側面板２８、２８がそれぞれ立設されており、この側面板２８、２８は中央部の上端部が切り欠かれている（図５参照）。また、底板２７の下端部の前後左右にはストッパー付きキャスター３がそれぞれ設けられている。
【００１４】
背面板２９は中央部の上端部が切り欠かれた上向きコ字状であって、底板２７の上面の後端部に立設している。
【００１５】
仕切り板３０は底板２７と、後述する下側の棚板１１との間の空間を左右に区画している。この仕切り板３０の下端面は底板２７の上面の左右方向の中央部に、上端面は棚板１１の下面に取り付けられている。そして、後端面は背面板２９の内側の中央部に取り付けられている。
【００１６】
上記で示したスタンド本体２を構成する各部材は、釘等の固定手段によりそれぞれ固定されている。
【００１７】
作業部４は、上面が開放している箱状の置台７であって、スタンド本体２の両側面板２８、２８の上端面および背面板２９の上端面に取り付けられている。そして、この置台７の内部には上面が開放している箱状の砂箱８が配置されている。この砂箱８の内部に箱庭模型を配置することで箱庭作成をすることができる。
【００１８】
収納部６は上下の棚板１１、１１と、前面側の左右の引き出し１０、１０と、背面側の上下の引き出し１６、１６とから構成されている。そして、この収納部６に箱庭模型を収納することができる。棚板１１の前面側および両側面側の縁部には、落下防止板１２がそれぞれ設けられている。
【００１９】
引き出し１０は上面が開放している箱状であって、前面板１３の中央部分に把手１４が設けられている。
【００２０】
また、引き出し１０の両側面板１５、１５の外側には溝１９がそれぞれ設けられている。この引き出し１０の溝１９にスタンド本体２の側面板２８および仕切り板３０に設けたスライドレール２０が位置している。これにより、引き出し１０をスタンド本体２の前面側の外方へ引き出したり、スタンド本体２の内部に押込んだりすることができる。なお、引き出し１０はスタンド本体２の背面板２９と当接するまで押込むことができる。
【００２１】
一方、引き出し１６は引き出し１０と同様に、上面が開放している箱状であって、前面板１７の中央部分に把手１４が設けられている。この引き出し１６は、棚板１１の上面部分にそれぞれ配置されている。
【００２２】
また、引き出し１６は棚板１１の上面部分に設けられた平面コ字状のガイド１８に沿うようにして、背面板２９の切り欠き部分から外方へ引き出すことができるとともに、ガイド１８の奥部と当接するまで押込むことができる。この場合、ガイド１８の移動域外の棚板１１に配置した箱庭模型が落下することはない。
【００２３】
箱庭用作業台１は上記で示したように、箱庭を作成するための砂箱８が配置された置台７である作業部４と、収納部６とを有したスタンド本体２を具えている。この収納部６は上下の棚板１１、１１と、前面側の引き出し１０、１０と、背面側の引き出し１６、１６とから構成され、二段の棚と、四つの引き出しとが形成されている。そして、この収納部６に箱庭模型を収納することができる。これにより、箱庭療法に必要な砂箱８、箱庭模型等の全てのものを一体に、かつ任意の場所に移動させることができ、その任意の場所で砂箱８に箱庭模型を配置して箱庭作成を行なうことができる。
【００２４】
図７から図９には本考案である箱庭用作業台の第二の実施の形態が示されており、図７は正面図、図８は側面図、図９は斜視図である。
【００２５】
図７から図９に示すように、箱庭用作業台２１は、上記で示した第一の実施の形態である箱庭用作業台の置台７の下端部にスライド置台２３を具えた形態になっている。そして、この実施の形態の箱庭用作業台２１は砂箱８が配置された置台７および作業用のスライド置台２３を具えた作業部２４と、収納部６とを有するスタンド本体２２を具え、スタンド本体２２の下端部の前後左右にはストッパー付きキャスター３がそれぞれ設けられた形態になっている。
【００２６】
スタンド本体２２の左右の側面板２８、２８の上端部の間に枠板３２、３２がそれぞれ設けられており、この枠板３２、３２の内側の下端部にガイド板３３がそれぞれ設けられている。そして、枠板３２、３２の上端面は置台７の下端面にそれぞれ取り付けられている。
【００２７】
ガイド板３３、３３の上面部分には、左右二つのスライド置台２３が架設された状態になっている。このため、各スライド置台２３をスタンド本体２２の側面の外方へ引き出したり、押込んだりすることができる。なお、図示しないが、スライド置台２３を最大まで引き出した場合でも落下しないように落下防止手段を設けることも可能である。
【００２８】
スライド置台２３は、四角形状の平板２６の前後左右の縁部に枠が設けられた形状であり、箱庭作成中にその上部に種々の箱庭模型を配置することができる。また、スライド置台２３の引き出し側の枠の一端面の中央部には把手１４が設けられている。
【００２９】
収納部６は第一の実施の形態と同様に、上下の棚板１１、１１と、前面側の左右の引き出し１０、１０と、背面側の上下の引き出し１６、１６とから構成され、二段の棚と、四つの引き出しとが形成されている。この収納部６には箱庭模型を収納することができる。
【００３０】
箱庭用作業台２１は上記で示したように、砂箱８が配置された置台７と、スタンド本体２２の側面の外方へ引き出したり、押込んだりすることができるスライド置台２３、２３とを具えた作業部２４を具えている。
【００３１】
箱庭用作業台２１は箱庭作成時以外にはスライド置台２３、２３がスタンド本体２２の内部に押込まれた状態になっている。そして、置台７には箱庭を作成するための砂箱８が配置されている。収納部６には箱庭模型が収納されている。箱庭作成時には箱庭用作業台２１を任意の位置に移動させた後、スライド置台２３、２３をスタンド本体２２の両側面の外方へそれぞれ引き出す。そして、収納部６に収納されている箱庭模型の中から箱庭作成に必要なものを取り出し、スライド置台２３、２３に配置する。このスライド置台２３、２３に配置した箱庭模型を置台７に配置された砂箱８に配置することで、箱庭作成を行なうことができる。
【００３２】
このように、箱庭用作業台２１は、箱庭作成をするための砂箱８が配置された作業部２４と、箱庭模型を収納するための収納部６とを具えている。これにより、箱庭療法に必要な砂箱８、箱庭模型等の全てのものを一体に、かつ任意の場所に移動させることができ、その任意の場所で砂箱８に箱庭模型を配置して、箱庭作成を行なうことができる。
【００３３】
なお、前記各実施の形態においては、二段の棚と、四つの引き出しを形成したが、これに限定することなく、要は箱庭療法に必要な砂箱８以外の全ての箱庭模型を収納し得るようにスタンド本体２、２２を適宜変更すれば良いものである。
【００３４】
また、前記各実施の形態においては、キャスターとしてストッパー付きキャスター３を設けたが、これに限定することなく、ストッパー付きでなくても良く、また、カート等の運搬手段があればストッパーを設けなくても良いものである。
【図面の簡単な説明】
【００３５】
【図１】箱庭用作業台を示す正面図である。
【図２】箱庭用作業台を示す側面図である。
【図３】図１のＡ−Ａ線に沿って見た断面図である。
【図４】箱庭用作業台を示す背面図である。
【図５】箱庭用作業台を示す斜視図である。
【図６】図２のＢ−Ｂ線に沿って見た断面図である。
【図７】第二の形態の箱庭用作業台を示す正面図である。
【図８】第二の形態の箱庭用作業台示す側面図である。
【図９】第二の形態の箱庭用作業台を示す斜視図である。
【符号の説明】
【００３６】
１、２１  箱庭用作業台
２、２２  スタンド本体
３  ストッパー付きキャスター
４、２４  作業部
６  収納部
７  置台
８  砂箱
１０、１６  引き出し
１１  棚板
１２  落下防止板
１３、１７  前面板
１４  把手
１５、２８  側面板
１８  ガイド
１９  溝
２０  スライドレール
２３  スライド置台
２６  平板
２７  底板
２９  背面板
３０  仕切り板
３２  枠板
３３  ガイド板
【図１】
0003115845.tif 000003
【図２】
0003115845.tif 000004
【図３】
0003115845.tif 000005
【図４】
0003115845.tif 000006
【図５】
0003115845.tif 000007
【図６】
0003115845.tif 000008
【図７】
0003115845.tif 000009
【図８】
0003115845.tif 000010
【図９】
0003115845.tif 000011